(57)【特許請求の範囲】
【請求項１】
交流電源からの交流電圧を直流電圧に変換する整流回路と、この直流電圧のリプルを平滑化する直流コンデンサと、この平滑化された直流電圧を可変電圧可変周波数の交流電圧に変換して出力するインバータと、このインバータから出力される交流電圧で駆動し乗りかごを昇降する電動機と、前記直流コンデンサに並列に接続される抵抗チョッパと、速度指令に応じた前記可変電圧可変周波数の交流電圧を出力するように前記インバータを制御し、また前記抵抗チョッパを制御する駆動制御手段とを設けたエレベータ制御装置において、
前記直流コンデンサに並列に接続され、前記電動機側からの回生電力を蓄積する電気二重層キャパシタと、この電気二重層キャパシタに直列に接続され、スイッチと抵抗とを並列接続した初期充電回路と、前記電気二重層キャパシタの端子電圧を検出する電圧検出手段と、前記交流電源の通電開始時に前記スイッチをオフし、この交流電源の通電時の電流を前記抵抗で制限しつつ前記電気二重層キャパシタに充電し、この交流電源の通電開始後所要の時間後に前記スイッチをオンし、前記直流コンデンサに並列に前記電気二重層キャパシタを接続する手段及び前記電気二重層キャパシタの定格電圧を抵抗チョッパの動作電圧とし、前記電圧検出手段で検出される端子電圧が前記電気二重層キャパシタの定格電圧に達したとき、抵抗チョッパを動作制御する手段を有する前記駆動制御手段とを備えたことを特徴とするエレベータ制御装置。
【請求項２】
請求項１に記載のエレベータ制御装置において、
前記電気二重層キャパシタに直列に接続され、前記直流コンデンサや前記インバータの短絡故障による過電流の前記電気二重層キャパシタへの流れ込みを遮断する電流遮断回路をさらに設けたことを特徴とするエレベータ制御装置。
【請求項３】
請求項１または請求項２に記載のエレベータ制御装置において、
前記直流コンデンサに対して並列に接続可能に設けられ、前記電動機側からの回生電力を蓄積するとともに、前記インバータが所定のスイッチング周波数以下のとき、前記直流コンデンサを削除し、当該直流コンデンサの電圧平滑化機能を代用する電気二重層キャパシタと、
この電気二重層キャパシタの端子電圧を検出する電圧検出手段と、
前記電気二重層キャパシタの定格電圧を抵抗チョッパの動作電圧とし、前記電圧検出手段で検出される端子電圧が前記電気二重層キャパシタの定格電圧に達したとき、抵抗チョッパを動作制御する前記駆動制御手段とを備えたことを特徴とするエレベータ制御装置。
【発明の詳細な説明】
【技術分野】
【０００１】
本発明は、エレベータの回生運転時に発電される電力を有効に利用するエレベータ制御装置に関する。
【背景技術】
【０００２】
一般に、エレベータ制御装置は、図８に示すように所定の駆動電力を供給する制御駆動系と、この制御駆動系から供給される駆動電力に基づいて乗りかごを昇降するロープ式エレベータとで構成されている。
【０００３】
この制御駆動系は、商用交流電源１、この商用交流電源１の交流電力を直流電力に変換する整流回路２、この整流回路２で変換された直流電力を平滑化する直流コンデンサ３、この直流コンデンサ３で平滑化された直流電力を所要周波数の交流電力に変換して電動機１１に供給するインバータ４、所定の速度指令と電動機１１の回転速度とに基づいてインバータ４から速度指令に応じた周波数の交流電力を出力させるように制御し、また後記する抵抗チョッパを制御する駆動制御部５が設けられている。
【０００４】
一方、ロープ式エレベータは、電動機１１、この電動機１１の回転軸に接続される巻上ドラム１２に巻き掛けられたロープ１３、このロープ１３の端部にそれぞれ吊下げられた乗りかご１４及び釣り合いおもり１５が設けられている。
【０００５】
ところで、以上のようなエレベータ制御装置では、乗りかご１４が満員に近い状態で上昇する場合や空に近い状態で下降する場合、商用交流電源１→整流回路２→直流コンデンサ３→インバータ４の順序で生成される電力を電動機１１に供給する力行運転を実施し、逆に乗りかご１４が満員に近い状態で下降する場合や空に近い状態で上昇する場合、電動機１１で発電される電力をインバータ４→直流コンデンサ３で戻す回生運転が行われる。この回生運転時、電動機１１からインバータ４に戻ってくる電力は、整流回路２でブロックされるので、インバータ入力端側の電圧が増加し、整流回路２やインバータ４を構成する素子を破損させる問題がある。
【０００６】
そこで、従来、回生運転時に電動機１１からインバータ４に戻ってくる回生電力による電圧増加分に見合う電力を消費させる必要から、整流回路２の直流出力ライン間に自己消弧素子１６及び抵抗１７からなる抵抗チョッパ１８を接続し、回生運転時に直流出力ライン間の直流電圧が設定電圧を越えたとき、駆動制御部５が自己消弧素子１６をオンする制御信号１９を送出し、電圧増加分に見合う電力を抵抗１７で消費させる構成をとっている（特許文献１）。
【特許文献１】特開平０１７０７８号公報
【発明の開示】
【発明が解決しようとする課題】
【０００７】
しかしながら、以上のようなエレベータ制御装置は、回生運転時に電動機１１で発電される電力を抵抗１７で熱として消費しているので、回生運転で得られる電力を有効に利用できない問題がある。
【０００８】
本発明は上記事情に鑑みてなされたもので、回生運転による電力を確実に充電し、力行運転時に有効に利用できるように制御するエレベータ制御装置を提供することを目的とする。
【課題を解決するための手段】
【０００９】
（１）  上記課題を解決するために、本発明は、交流電源からの交流電圧を直流電圧に変換する整流回路と、この直流電圧のリプルを平滑化する直流コンデンサと、この平滑化された直流電圧を可変電圧可変周波数の交流電圧に変換して出力するインバータと、このインバータから出力される交流電圧で駆動し乗りかごを昇降する電動機と、前記直流コンデンサに並列に接続される抵抗チョッパと、速度指令に応じた前記可変電圧可変周波数の交流電圧を出力するように前記インバータを制御し、また前記抵抗チョッパを制御する駆動制御手段とを設けたエレベータ制御装置において、
前記直流コンデンサに並列に接続され、この直流コンデンサよりも大きな静電容量を有し、前記電動機側からの回生電力を蓄積可能な電気二重層キャパシタと、この電気二重層キャパシタに直列に接続され、スイッチと抵抗が並列接続された初期充電回路と、前記電気二重層キャパシタの端子電圧を検出する電圧検出手段と、前記交流電源の通電開始時に前記スイッチをオフし、この交流電源の通電時の電流を前記抵抗で制限しつつ前記電気二重層キャパシタに充電し、この交流電源の通電開始後所要の時間後に前記スイッチをオンし、前記直流コンデンサに並列に前記電気二重層キャパシタを接続する手段及び前記電気二重層キャパシタの定格電圧を抵抗チョッパの動作電圧とし、前記電圧検出手段で検出される端子電圧が前記電気二重層キャパシタの定格電圧に達したとき、抵抗チョッパを動作制御する手段を有する前記駆動制御手段とを備えた構成である。
【００１０】
この発明は以上のような構成とすることにより、直流コンデンサに並列に当該直流コンデンサより十分に大きな静電容量を有し、電動機側からの回生電力をほとんど蓄積可能な電気二重層キャパシタを設け、かつ駆動制御手段としては、前記電気二重層キャパシタの定格電圧近傍の電圧を抵抗チョッパの動作電圧とし、前記電圧検出手段で検出される端子電圧が前記電気二重層キャパシタの定格電圧近傍の電圧に達したとき、抵抗チョッパを動作制御すれば、電動機で発電された電力の大部分を電気二重層キャパシタに充電でき、しかも電気二重層キャパシタの定格電圧を越える状態が発生した場合には抵抗チョッパを制御して熱消費させるようにしたので、電気二重層キャパシタを過充電から保護することが可能である。
【００１２】
また、本発明は、電気二重層キャパシタに直列にスイッチと抵抗とを並列接続した初期充電回路を接続し、前記交流電源の通電開始時に前記スイッチをオフし、この交流電源の通電時の電流を前記抵抗で制限しつつ前記電気二重層キャパシタに充電し、この交流電源の通電開始後所要の時間後に前記スイッチをオンし、前記直流コンデンサに並列に前記電気二重層キャパシタを接続する前記駆動制御手段を設ければ、交流電源の通電時の電流を前記抵抗で制限しつつ前記電気二重層キャパシタに充電し、突入電流から電気二重層キャパシタを保護することが可能である。
【００１３】
（２） また、本発明に係るエレベータ制御装置は、前記（１）項の構成に新たに、前記電気二重層キャパシタに直列に接続され、前記直流コンデンサや前記インバータの短絡故障による過電流の前記電気二重層キャパシタへの流れ込みを遮断する電流遮断回路を設ければ、同様に直流コンデンサやインバータの短絡故障による過電流から電気二重層キャパシタを保護することが可能である。
【００１５】
（３）  さらに、本発明に係るエレベータ制御装置は、前記（１）項または前記（２）項の構成において、直流コンデンサに対して並列に接続可能に設けられ、当該直流コンデンサよりも大きな静電容量を有し、前記電動機側からの回生電力を蓄積可能とするとともに、前記インバータが所定のスイッチング周波数以下のとき、前記直流コンデンサを削除し、当該直流コンデンサの電圧平滑化機能を代用する電気二重層キャパシタと、この電気二重層キャパシタの端子電圧を検出する電圧検出手段と、前記電気二重層キャパシタの定格電圧を抵抗チョッパの動作電圧とし、前記電圧検出手段で検出される端子電圧が前記電気二重層キャパシタの定格電圧に達したとき、抵抗チョッパを動作制御する前記駆動制御手段とを設けることにより、少ない部品で回生運転時の電力を確実に充電し、かつ次の力行運転時に充電エネルギーを有効に再利用することが可能である。
エネルギーを有効に再利用することが可能である。
【発明の効果】
【００１６】
本発明は、回生運転時に得られる電力を確実に充電でき、力行運転時に有効に再利用するエレベータ制御装置を提供できる。
【発明を実施するための最良の形態】
【００１７】
以下、本発明の実施の形態について図面を参照して説明する。  
図1は本発明に係るエレベータ制御装置の一実施の形態を示す構成図である。なお、同図において、図８と同一又は等価な部分には図８と同一の符号を付して説明する。
【００１８】
このエレベータ制御装置は、図８と同様に所要の駆動電力を供給する駆動制御系と、この駆動制御系からの駆動電力に基づいて乗りかご１４を昇降するロープ式エレベータとが設けられている。
【００１９】
この駆動制御系は、商用交流電源１、この商用交流電源１の交流電力を直流電力に変換する整流回路２、この整流回路２で変換された直流電力を平滑化する直流コンデンサ３、この直流コンデンサ３で平滑化された直流電力を所要周波数の交流電力に変換して電動機１１に供給するインバータ４、前記直流コンデンサ３に並列に接続され、電力を熱として消費させる抵抗チョッパ１８、同じく直流コンデンサ３に並列に接続される電気二重層キャパシタ２１、この電気二重層キャパシタ２１の端子電圧を検出する電圧検出回路２２及び所定の速度指令と電動機１１の回転速度とに基づいてインバータ５を制御し、また必要に応じて抵抗チョッパ１８を動作させる駆動制御部５が設けられている。
【００２０】
前記電気二重層キャパシタ２１は、前述するように直流コンデンサ３に並列に接続され、当該直流コンデンサ３よりも十分に大きな静電容量を有し、非常に短時間での大電流による充放電が可能な電気エネルギーを蓄える機能をもったデバイスである。従って、電気二重層キャパシタ２１の静電容量が非常に大きいことから、電動機１１側からの回生電力をほとんど蓄積することが可能であり、直流コンデンサ３に生ずる直流電圧は電気二重層キャパシタ２１の端子電圧に支配される。
【００２１】
前記ロープ式エレベータは、電動機１１、この電動機１１の回転軸に接続される巻上ドラム１２に巻き掛けられたロープ１３、このロープ１３の一端側に吊下げられた乗りかご１４及び当該ロープ１３の他端側に吊下げられた釣り合いおもり１５が設けられている。
【００２２】
次に、以上のようなエレベータ制御装置の動作について図２を参照して説明する。  
一般に、乗りかご１４が満員に近い状態で上昇する場合や空に近い状態で下降する場合には乗りかご１４を所定の速度で走行させる必要から、商用交流電源１→整流回路２→直流コンデンサ３→インバータ４の順序で生成される電力を電動機１１に供給する力行運転が行われる。一方、乗りかご１４が満員に近い状態で下降する場合や空に近い状態で上昇する場合には乗りかご１４自身で走行可能な状態にあるので、電動機１１→インバータ４の順序で電力を発電し直流コンデンサ４に付与する回生運転が行われる。
【００２３】
ところで、回生運転時、電動機１１が回生電力を発電すると、電動機１１→インバータ４→整流回路２の直流出力ラインへと電流Ｉ０が流れるが、整流回路２でブロックされ商用交流電源１側に流れないことから、電気二重層キャパシタ２１に電流Ｉｃが流れて、回生電力は電気二重層キャパシタ２１に蓄積されて端子電圧Ｖｃが上昇する。このとき、電圧検出回路２２は電気二重層キャパシタ２１の端子電圧を検出し、駆動制御部５に送出している。
【００２４】
この駆動制御部５は、予め電気二重層キャパシタ２１の定格電圧に相当する電圧を抵抗チョッパ１８の動作電圧として設定され、電圧検出回路２２で検出される電気二重層キャパシタ２１の端子電圧と抵抗チョッパ１８の動作電圧とを比較し、電気二重層キャパシタ２４に当該電気二重層キャパシタ２１の定格電圧まで充電すると、抵抗チョッパ１８を構成する自己消弧形素子１６をオン制御する。その結果、電気二重層キャパシタ２１の定格電圧を越える電圧によって抵抗チョッパ電流Ｉｒが抵抗チョッパ１８に流れて熱として電力消費され、過充電から電気二重層キャパシタ２１を保護することができる。
【００２５】
なお、電気二重層キャパシタ２１が回生電力を蓄積しているとき、電気二重層キャパシタ２１の端子電圧は交流電源１の整流回路２による整流電圧より大きいので、整流回路２によるブロックにより交流電源１から電気二重層キャパシタ２１に電流Ｉｓが流れることはない。
【００２６】
よって、電動機１１による次の力行運転時、当該電動機１１の力行電力がすべて電気二重層キャパシタ２１から供給され、この電気二重層キャパシタ２１の放電に伴って端子電圧が徐々に減少していく。
【００２７】
そして、電気二重層キャパシタ２１に蓄積された回生電力がすべて放電すると、電気二重層キャパシタ２１の端子電圧が交流電源１の整流電圧より下回り、放電動作を停止する。この放電動作の停止に伴い、商用交流電源１→整流回路２→直流出力ラインに電流Ｉｓが流れ、商用交流電源１から電動機１１に引き続き電力の供給が継続される。
【００２８】
従って、以上のような実施の形態によれば、整流回路２の直流出力ライン間、ひいては直流コンデンサ３に並列に静電容量の大きな電気二重層キャパシタ２１を接続することにより、電動機１１で発電する回生エネルギーのほとんどを電気二重層キャパシタ２１に充電でき、次の電動機１１の力行運転時にその充電エネルギーを放電して再利用することができる。
【００２９】
また、抵抗チョッパ１８及び電気二重層キャパシタ２１を設け、電気二重層キャパシタ２１の定格電圧に抵抗チョッパ１８の動作電圧を設定することにより、電気二重層キャパシタ２１の端子電圧が定格電圧になると自動的に抵抗チョッパ１８を動作させので、電気二重層キャパシタ２１を過充電から保護することができる。
【００３０】
図３は本発明に係るエレベータ制御装置の他の実施の形態を示す構成図である。なお、同図において、図１と同一又は等価な部分には同一の符号を付し、その詳しい説明は図１に譲る。
【００３１】
この実施の形態は、図１に示す構成に新たに、電気二重層キャパシタ２１に直列にスイッチ２３を接続した構成である。このスイッチ２３が無い場合、直流コンデンサ３に常時電気二重層キャパシタ２１が並列に接続された状態となっており、直流電圧が常に印加された状態となる。
【００３２】
そこで、電気二重層キャパシタ２１にスイッチ２３を接続することにより、駆動制御部５は、通常運転時にスイッチ２３をオン制御するが、停止時であって電気二重層キャパシタ２１を使用しないときにはスイッチ２３をオフ制御する。
【００３３】
従って、このような実施の形態によれば、停止時であって電気二重層キャパシタ２１を使用しないとき、スイッチ２３をオフ制御することにより、直流コンデンサ３の直流電圧から電気二重層キャパシタ２１を電気的に切り離すことができ、電気二重層キャパシタ２１に蓄電されている直流電圧によって感電事故等の発生を防止することができる。
【００３４】
図４は本発明に係るエレベータ制御装置のさらに他の実施の形態を示す構成図である。なお、同図において、図１と同一又は等価な部分には同一の符号を付し、その詳しい説明は図１に譲る。
【００３５】
この実施の形態は、図１に示す構成に新たに、電気二重層キャパシタ２１に直列にスイッチ２４及び抵抗２５を並列接続した初期充電回路２６が接続されている。すなわち、この装置の駆動制御部５としては、商用交流電源１から通電を行うときにオフ制御信号を送出し、初期充電回路２６のスイッチ２４をオフとし、商用交流電源１に抵抗２５を介して電気二重層キャパシタ２１を接続する。その結果、商用交流電源１から整流回路２を通して整流される直流電力が抵抗２５で制限された電流で徐々に電気二重層キャパシタ２１に充電していく。そして、商用交流電源１の通電開始後、予め定める所定時間を経過した後、駆動制御部５からオン制御信号を送出し、スイッチ２４をオンとし、直流コンデンサ３に並列に電気二重層キャパシタ２１を接続する。
【００３６】
このような実施の形態によれば、商用交流電源１の通電開始時、商用交流電源１から整流回路２を通して整流される直流電力が抵抗２５で制限された電流で徐々に電気二重層キャパシタ２１に充電するので、商用交流電源１から十分に充電されていない電気二重層キャパシタ２１に突入電流が流れるのを未然に回避でき、電気二重層キャパシタ２１の突入電流から保護し、電気二重層キャパシタ２１の寿命を延ばすことができ、また性能の劣化を防ぐことができる。
【００３７】
図５は本発明に係るエレベータ制御装置のさらに他の実施の形態を示す構成図である。なお、同図において、図１と同一又は等価な部分には同一の符号を付し、その詳しい説明は図１に譲る。
【００３８】
この実施の形態は、図１に示す構成に新たに、電気二重層キャパシタ２１に直列にヒューズなどの電流遮断回路２７を接続した構成である。この電流遮断回路２７は、電気二重層キャパシタ２１の電流が過電流となったとき、例えば溶断によって電流を遮断し、電気二重層キャパシタ２１に流れるのを阻止する。
【００３９】
従って、以上のような実施の形態によれば、直流コンデンサ３やインバータ４で短絡故障が発生したとき、電気二重層キャパシタ２１に流れ込む短絡電流を遮断し、電気二重層キャパシタ２１の故障等のごとき短絡事故の拡大を防止することができる。
【００４０】
図６は本発明に係るエレベータ制御装置のさらに他の実施の形態を説明する図であり、更に具体的には図４と図５とを組み合わせた構成図である。
【００４１】
この実施の形態は、電気二重層キャパシタ２１に直列に流れ込む過電流を遮断する電流遮断回路２７と初期充電回路２６とを接続した構成である。その結果、商用交流電源１の通電開始時、商用交流電源１から整流回路２を通して整流される直流電力が抵抗２５で制限された電流のもとに徐々に電気二重層キャパシタ２１に充電され、そして、商用交流電源１の通電が開始して所定時間を経過した後、スイッチ２４をオンとし、直流コンデンサ３に並列に電気二重層キャパシタ２１を接続する。
【００４２】
この直流コンデンサ３に並列に電気二重層キャパシタ２１が接続されているとき、直流コンデンサ３やインバータ４で短絡故障が発生すると、この短絡電流が電気二重層キャパシタ２１に流れ込もうとするが、このとき過電流を検知し、短絡電流を遮断し、電気二重層キャパシタ２１に流れ込むのを阻止することができる。
【００４３】
従って、以上のような実施の形態によれば、商用交流電源１の通電開始時の突入電流及び通常運転時の直流コンデンサ３やインバータ４で短絡故障による短絡電流から電気二重層キャパシタ２１を保護し、ひいては電動機１１で発電する回生電力を確実に電気二重層キャパシタ２１に確実に充電でき、次の力行運転時にその充電エネルギーを放電して再利用できる。
【００４４】
図７は本発明に係るエレベータ制御装置のさらに他の実施の形態を示す構成図である。
【００４５】
この実施の形態は、例えば図1の構成おいて、整流回路２の直流出力ライン間に接続される直流コンデンサ３を削除し、この直流コンデンサ３の機能を電気二重層キャパシタ２１にもたせる構成である。
【００４６】
この電気二重層キャパシタ２１においては、高速な充放電動作に十分対応できることから、インバータ４のスイッチング周波数が数ｋＨｚ以下であれば、直流コンデンサ３の本来もつ電圧平滑化の機能を代用することが可能となり、結果として、直流コンデンサ３を削除することも可能となる。
【００４７】
よって、このような構成によれば、直流コンデンサ３の削除により、部品点数を減らすことができる。
【００４８】
その他、本発明は、上記実施の形態に限定されるものでなく、その要旨を逸脱しない範囲で種々変形して実施できる。
【００４９】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００５０】
【図１】本発明に係るエレベータ制御装置の一実施の形態を示す構成図。
【図２】図1に示す充放電制御回路による充放電制御動作を説明するタイミングチャート。
【図３】本発明に係るエレベータ制御装置の他の実施の形態を示す構成図。
【図４】本発明に係るエレベータ制御装置のさらに他の実施の形態を示す構成図。
【図５】本発明に係るエレベータ制御装置のさらに他の実施の形態を示す構成図。
【図６】図１の構成に図４と図５の構成を付加した構成図。
【図７】本発明に係るエレベータ制御装置のさらに他の実施の形態を示す構成図。
【図８】従来のエレベータ制御装置の構成図。
【符号の説明】
【００５１】
１…商用交流電源、２…整流回路、３…直流コンデンサ、４…インバータ、５…駆動制御部、１１…電動機、１４…乗りかご、１５…釣り合いおもり、１８…抵抗チョッパ、２１…電気二重層キャパシタ、２２…電圧検出回路、２３，２４…スイッチ、２５…抵抗、２６…初期充電回路、２７…電流遮断回路。
【図１】
0004721647.tif 000002
【図２】
0004721647.tif 000003
【図３】
0004721647.tif 000004
【図４】
0004721647.tif 000005
【図５】
0004721647.tif 000006
【図６】
0004721647.tif 000007
【図７】
0004721647.tif 000008
【図８】
0004721647.tif 000009